(57)【要約】【課題】ダブルガラス化効果を享受することができ、ＷＥＴ／ＤＲＹ差の少ないパーマネントウェーブ処理方法を提供する。【解決手段】濡らし工Ｓ１で毛髪を濡らしてロッドに巻き、第一蒸らし工程Ｓ２で蒸らした後に、第一風乾工程Ｓ３でロッドの内外から毛髪を乾燥させ、同時に、第一水分吸引工程Ｓ３２でロッド内部を負圧にして毛髪に付着した水分を吸引し、第１剤塗布工程Ｓ４で毛髪へ還元作用を有するパーマネント第１剤を塗布し、中間水洗工程Ｓ５で毛髪を水洗し、第二蒸らし工程Ｓ６で再び毛髪を蒸らした後に、第二風乾工程Ｓ７でロッドの内外から毛髪を乾燥させ、同時に、第二水分吸引工程Ｓ７２でロッド内部を負圧にして毛髪に付着した水分を吸引し、その後、第２剤塗布工程Ｓ８で毛髪へ酸化作用を有するパーマネント第２剤を塗布し、パーマネントウェーブを形成する。【選択図】図１
2016034304.tif 000002
【特許請求の範囲】
【請求項１】
還元作用を有するパーマネント第１剤を塗布し、ジスルフィド結合を切って毛髪を軟化させる第１剤塗布工程及び、酸化作用を有するパーマネント第２剤を塗布し、前記毛髪のジスルフィド結合の再結合を促す第２剤塗布工程を含むパーマネントウェーブ処理方法において、
前記毛髪を濡らしてロッドに巻く前処理工程及び、前記毛髪に温風を吹き付けて風乾する風乾工程を含み、
前記前処理工程を前記風乾工程の前に行い、前記風乾工程を前記第１剤塗布工程の前に行う、
ことを特徴とするパーマネントウェーブ処理方法。
【請求項２】
前記毛髪に温風を吹き付けて風乾する第２風乾工程を含み、この第２風乾工程を前記第１剤塗布工程の後に行うとともに、
前記風乾工程及び前記第２風乾工程に、前記ロッド内部を負圧にして前記毛髪を乾燥させる負圧下乾燥工程を含む、
ことを特徴とする請求項１に記載のパーマネントウェーブ処理方法。
【請求項３】
前記毛髪を一定期間蒸らす蒸らし工程を含み、この蒸らし工程を前記風乾工程及び前記第２風乾工程の直前に行うとともに、
前記負圧下乾燥工程が、前記毛髪に付着した水分を前記ロッド内部へ吸引する水分吸引工程である、
ことを特徴とする請求項２に記載のパーマネントウェーブ処理方法。
【請求項４】
前記毛髪を濡らしてロッドに巻き、一定期間蒸らした後に、前記毛髪に温風を吹き付けつつ前記ロッド内部を負圧にして前記毛髪を乾燥させ、前記毛髪へ還元作用を有するパーマネント第１剤を塗布し、前記毛髪を水洗し、再び一定期間蒸らした後に、前記毛髪に温風を吹き付けつつ前記ロッド内部を負圧にして前記毛髪を乾燥させ、その後、前記毛髪へ酸化作用を有するパーマネント第２剤を塗布する、
ことを特徴とするパーマネントウェーブ処理方法。
【発明の詳細な説明】
【技術分野】
【０００１】
本発明は、ダブルガラス化効果を享受することができ、毛髪が乾燥してもウェーブが緩くならず、かつ、ウェーブの持続期間も長いパーマネントウェーブ処理方法に関する。
【背景技術】
【０００２】
従来から、理美容院等で実施されているパーマネントウェーブ処理方法を説明する。まず、被施術者の毛髪に還元剤を含むパーマネント第１剤を塗布し、毛髪を軽く湿らせてロッドに巻付け、パーマネント第１剤をさらに塗布して室温環境下で所定時間放置する。パーマネント第１剤を塗布して放置することで、ケラチン分子のジスルフィド結合が開鎖し、メルカプト基が露出する。毛髪は軟化する。
【０００３】
さらに、施術者がテストカールを行って軟化の程度、すなわち毛髪が軟らかくなって可塑性が出たかどうかを判断し、軟化したと判断したならパーマネント第１剤を洗い流すとともに、タオル等によって毛髪に付着している水分を拭き取る。続いて、水分を拭き取った毛髪に対して酸化剤を含むパーマネント第２剤を塗布し、室温環境下で所定時間放置し、メルカプト基を酸化してジスルフィド結合の再結合を促し、ウェーブを形成する。所定時間が経過したらロッドを外して水洗し、ドライヤー等で乾燥させてパーマネントウェーブ処理が終了する。
【０００４】
従来のパーマネントウェーブ処理方法では、毛髪が十分に濡れている状態でウェーブが強く保たれるが、乾燥するとウェーブが緩くなり（だれる）、かつ、ウェーブが持続する期間が短いという欠点があった。
【０００５】
この欠点を解消する処理方法として下記特許文献１で提案されるパーマネントウェーブ処理方法がある。しかしながら、ロッドに毛髪を巻き付けた状態で、ロッドを８０〜１４０度に加熱するために、毛髪の損傷が大きくなり、頭部が熱くなるので被施術者に不快感を与えたり火傷させたりする可能性がある。さらに、毛髪の根元までロッドに巻付けることができないので、ウェーブで表現するデザインが限定されるという欠点があった。
【０００６】
一方、出願人らはこれまで、例えば、下記特許文献２〜４等において、所謂ガラス化効果等を利用しながらウェーブ効率が良く、毛髪の損傷を抑え、かつ、ウェーブが長持ちするパーマネントウェーブ処理方法を提案している。
【先行技術文献】
【特許文献】
【０００７】
【特許文献１】特開２００４−２６２７９８号公報
【特許文献２】特開２００７−８４４９１号公報
【特許文献３】特許第４４７３８４８号公報
【特許文献４】特許第４６０７７００号公報
【発明の概要】
【発明が解決しようとする課題】
【０００８】
例えば、特許文献４では、毛髪をロッド等で変形させ、還元剤を含むパーマネント第１剤を塗布して軟化し、毛髪内部の分子を相対的に移動再配置させた状態にする。その後、ガラス化状態（風乾操作により分子が動かない状態）にし、酸化剤を含むパーマネント第２剤を塗布することにより、その時の毛髪の変形状態を固定し記憶させることを特徴とするパーマネントウェーブ処理方法を提案している。しかしながら、毛髪を軽く湿らせてロッド等で変形させ、還元剤を含むパーマネント第１剤を塗布しているので、毛髪が乾いたときにウェーブ形状が異なってしまうというＷＥＴ／ＤＲＹ差が完全には解消されない。そして、狙ったカールを形成することができるより良い処理方法への要望が依然、高い状況にある。
【０００９】
本発明は、上記実情に鑑み提案され、所謂ダブルガラス化効果によって、ウェーブ形状のＷＥＴ／ＤＲＹ差を極めて小さくすることができ、毛髪が乾燥してもウェーブが緩くならず、ウェーブの持続期間も長く、かつ、毛髪の損傷を抑えることができるパーマネントウェーブ処理方法を提供することを目的とする。
【課題を解決するための手段】
【００１０】
上記目的を達成するために、本発明は、還元作用を有するパーマネント第１剤を塗布し、毛髪のジスルフィド結合を切る第１剤塗布工程及び、酸化作用を有するパーマネント第２剤を塗布し、前記毛髪のジスルフィド結合の再結合を促す第２剤塗布工程を含むパーマネントウェーブ処理方法において、前記毛髪を濡らしてロッドに巻く前処理工程及び、前記毛髪に温風を吹き付けて風乾する風乾工程を含み、前記前処理工程を前記風乾工程の前に行い、前記風乾工程を前記第１剤塗布工程の前に行うことを特徴とする。
【００１１】
上記パーマネントウェーブ処理方法において、前記毛髪に温風を吹き付けて風乾する第２風乾工程を含み、この第２風乾工程を前記第１剤塗布工程の後に行うとともに、前記風乾工程及び前記第２風乾工程に、前記ロッド内部を負圧にして前記毛髪を乾燥させる負圧下乾燥工程を含むことを特徴とする。
【００１２】
さらに、前記毛髪を一定期間蒸らす蒸らし工程を含み、この蒸らし工程を前記風乾工程及び前記第２風乾工程の直前に行うとともに、前記負圧下乾燥工程が、前記毛髪に付着した水分を前記ロッド内部へ吸引する水分吸引工程であることを特徴とする。
【００１３】
また、本発明は、前記毛髪を濡らしてロッドに巻き、一定期間蒸らした後に、前記毛髪に温風を吹き付けつつ前記ロッド内部を負圧にして前記毛髪を乾燥させ、前記毛髪へ還元作用を有するパーマネント第１剤を塗布し、前記毛髪を水洗し、再び一定期間蒸らした後に、前記毛髪に温風を吹き付けつつ前記ロッド内部を負圧にして前記毛髪を乾燥させ、その後、前記毛髪へ酸化作用を有するパーマネント第２剤を塗布することを特徴とするパーマネントウェーブ処理方法に係る。
【発明の効果】
【００１４】
本発明は、パーマネント第１剤及び第２剤を使うパーマネントウェーブ処理方法において、毛髪を濡らしてロッドに巻く前処理工程及び、毛髪に温風を吹き付けて風乾する風乾工程を含み、前処理工程を風乾工程の前に行い、風乾工程を第１剤塗布工程の前に行う。したがって、本発明では、乾くことで分子が動かない状態（ガラス化状態）とした毛髪に対してパーマネント第１剤が塗布されるので、毛髪が乾いたときにウェーブ形状が異なってしまうＷＥＴ／ＤＲＹ差を無くすことができる。そして、毛髪が乾燥してもウェーブが緩くならず、ウェーブの持続期間も長くすることのできる施術が実現可能となる。
【００１５】
本発明は、毛髪に温風を吹き付けて風乾する第２乾燥工程を含み、この第２風乾工程を第１剤塗布工程の後に行う。したがって、本発明では、パーマネントウェーブ処理において、毛髪がガラス化状態を２度経験することで得られる効果、所謂ダブルガラス化効果を付与することができるので、毛髪が乾いたときにウェーブ形状が異なってしまうというＷＥＴ／ＤＲＹ差を効果的に無くすことができる。すなわち、毛髪が乾燥してもウェーブが緩くならず、ウェーブの持続期間も長くできるより良い施術が実現可能となる。
【００１６】
さらに、本発明は、風乾工程及び第２風乾工程に、ロッド内部を負圧にして毛髪を乾燥させる負圧下乾燥工程を含む構成である。したがって、本発明では、ドライヤー等によって外部から温風を吹き付けて毛髪を風乾するとともに、ロッド内部からも毛髪を乾燥させることで頭髪全体を均一に乾かすことができる。そうすると、頭髪全体で均一なガラス化状態を形成することができ、頭髪の全体でＷＥＴ／ＤＲＹ差を無くすことが可能となる。すなわち、被施術者に意図したパーマネントウェーブ（カール）を提供することが可能となる。
【００１７】
本発明は、毛髪を一定期間蒸らす蒸らし工程を含み、この蒸らし工程を風乾工程及び第２風乾工程の直前に行う構成である。毛髪を一定期間蒸らすことで、毛髪内部の分子を、最適な状態へ配置させることができる。したがって、このような蒸らし工程の効果と、これに続く風乾工程における毛髪のガラス化の効果によって、被施術者に意図したパーマネントウェーブ（カール）を確実に提供することが可能となる。
【００１８】
また、本発明は、負圧下乾燥工程を、毛髪に付着した水分をロッド内部へ吸引する水分吸引工程とした構成である。したがって、ドライヤー等によって外部から温風を吹き付けて毛髪を風乾するとともに、水分をロッド内部へ吸引することでも毛髪を乾燥させることで、頭髪全体を均一に乾かすことができる。これにより、より効率的に頭髪を全体的に均一に乾かすことができ、頭髪の全体で均一なガラス化状態を形成してＷＥＴ／ＤＲＹ差を無くすことができる。
【００１９】
そして、本発明は、毛髪を濡らしてロッドに巻き、一定期間蒸らした後に、毛髪に温風を吹き付けつつロッド内部を負圧にして毛髪を乾燥させ、毛髪へ還元作用を有するパーマネント第１剤を塗布し、毛髪を水洗し、再び一定期間蒸らした後に、毛髪に温風を吹き付けつつロッド内部を負圧にして毛髪を乾燥させ、その後、毛髪へ酸化作用を有するパーマネント第２剤を塗布するパーマネントウェーブ処理方法に係る。したがって、ダブルガラス化効果によって、ウェーブ形状のＷＥＴ／ＤＲＹ差を極めて小さくすることができ、毛髪が乾燥してもウェーブが緩くならず、ウェーブの持続期間も長い施術を提供することができる。
【００２０】
本発明では、乾燥した毛髪に第１剤や第２剤を塗布するので、これらの薬剤の浸透が抑えられ、毛髪間充物質の流出等による毛髪ダメージが軽減される。本発明は、ケラチン分子の分子間結合にひずみを加えるので、表面付近（キューティクル）のみの薬剤浸透で施術が可能となる。したがって、毛髪への浸透を最小限にし、毛髪ダメージを抑えることができる。
【図面の簡単な説明】
【００２１】
【図１】本発明に係るパーマネントウェーブ処理方法を構成する各工程を説明するフロー図である。
【図２】本発明を実施するのに用いるパーマネントウェーブ処理装置の概略構成を説明する概略構成図である。
【図３】毛髪のガラス転移点について説明するグラフである。
【発明を実施するための形態】
【００２２】
以下、本発明に係るパーマネントウェーブ処理方法について詳述していく。以下に説明する実施形態は、本発明を具現化した１つの例示であって、これに限定されるものではない。本発明は、特許請求の範囲に記載された事項を逸脱することがなければ、種々の設計変更を行うことが可能である。
【００２３】
本発明は、例えば、図１に示すような工程に沿って進めるパーマネントウェーブ処理方法に係る。具体的には、毛髪を濡らす濡らし工程Ｓ１、濡らした毛髪をロッドに巻き、一定期間蒸らす第一蒸らし工程Ｓ２、ロッドに巻かれ、濡れている毛髪を乾かす第一風乾工程Ｓ３を含む。第一風乾工程Ｓ３は、外部である頭髪の表面側からドライヤー等の温風で毛髪を乾燥させる第一温風風乾工程Ｓ３１に加え、毛髪を巻いているロッド内部を負圧とし、この毛髪を乾燥させる負圧下乾燥工程を含む。本実施形態では特に、負圧下乾燥工程を、ロッド内部を負圧とし、毛髪に付着している水分をロッド内部へ吸引する第一水分吸引工程Ｓ３２として構成している。
【００２４】
また、本発明は、第一風乾工程Ｓ３を経て乾いた毛髪へ、還元作用を有するパーマネント第１剤を塗布する第１剤塗布工程Ｓ４、第１剤塗布工程Ｓ４の後に毛髪の軟化を確認し、毛髪を水洗する中間水洗工程Ｓ５を含む。さらに、水洗した毛髪に対して再び一定期間蒸らす第二蒸らし工程Ｓ６、この蒸らして濡れている毛髪を乾かす第二風乾工程Ｓ７を含む。
【００２５】
第二風乾工程Ｓ７は、外部である頭髪の表面側からドライヤー等の温風で毛髪を乾燥させる第二温風風乾工程Ｓ７１に加え、毛髪を巻いているロッド内部を負圧とし、この毛髪を乾燥させる負圧下乾燥工程を含む。本実施形態では特に、負圧下乾燥工程を、ロッド内部を負圧とし、毛髪に付着している水分をロッド内部へ吸引する第二吸引工程Ｓ７２として構成している。
【００２６】
本発明は、第二風乾工程Ｓ７を経て乾いた毛髪へ、酸化作用を有するパーマネント第２剤を塗布する第２剤塗布工程Ｓ８を含む。本発明に係るパーマネントウェーブ処理方法では、これらの工程の後、所定時間を経過させてウェーブ形状を固定した後、ロッドを外して水洗し、ドライヤー等で乾燥させることで終了する。
【００２７】
ここで、第一蒸らし工程Ｓ２において毛髪をロッドに巻付けることで、その巻付け張力に応じ、毛髪を構成するケラチン分子に伸長歪みが掛かる。したがって、その歪みに対応した応力が第一蒸らし工程Ｓ２においてすでに、毛髪に発生していることとなる。
【００２８】
還元作用を有するパーマネント第１剤が塗布され、毛髪のジスルフィド結合が切れることで、毛髪にかかる歪みが解消され、酸化作用を有するパーマネント第２剤が塗布されることで、ジスルフィド結合の再結合が促され、ロッドの形状に沿った毛髪のウェーブ形状が固定化される。
【００２９】
本発明では、第１剤塗布工程Ｓ４及び第２剤塗布工程Ｓ８において、濡れた後に乾いて分子が動かなくなった状態（ガラス化状態）の毛髪に対し、パーマネント第１剤及び第２剤を塗布する。したがって、濡れた毛髪に対してパーマネント第１剤及び第２剤を塗布しないから、ＷＥＴ／ＤＲＹ差を小さくすることができる。特に、ガラス化状態を毛髪が２度経験し、そのガラス化状態のときにパーマネント第１剤及び第２剤を塗布するという所謂ダブルガラス化効果によって、ＷＥＴ／ＤＲＹ差を効果的に無くすことができる。本発明では、乾燥した毛髪に作用させるので、パーマネント第１剤及び第２剤薬剤の浸透が遅く、毛髪間充物質の流出等による毛髪ダメージが軽減される。表面付近（キューティクル）のみの薬剤浸透であるので、毛髪への薬剤浸透が最小限であり、毛髪ダメージを抑えることができる。
【００３０】
さらに、本発明では、第一風乾工程Ｓ３及び第二風乾工程Ｓ７において、外部から毛髪を乾かす第一温風風乾工程Ｓ３１及び第二温風風乾工程Ｓ７１を実施する。同時に、毛髪を巻いているロッド内部を負圧とし、毛髪に付着している水分をロッド内部へ吸引して毛髪を乾燥させる第一水分吸引工程Ｓ３２及び第二水分吸引工程Ｓ７２を実施する。したがって、頭髪の全体で均一なガラス化状態を形成することができ、均一なパーマネントウェーブ処理を施すことができるので、被施術者に意図したパーマネントウェーブ（カール）を提供することが可能となる。第一温風風乾工程Ｓ３１及び第一水分吸引工程Ｓ３２、第二温風風乾工程Ｓ７１及び第二水分吸引工程Ｓ７２をそれぞれ併行することで、その効果の確実性を益々、高めることができる。
【００３１】
また、第一蒸らし工程Ｓ２及び第二蒸らし工程Ｓ６において、ロッドに巻き付けられている毛髪内のケラチン分子を最適な位置へ移動、再配置させることができる。これにより、続く第一風乾工程Ｓ３及び第二風乾工程Ｓ７において、最適な分子配置での毛髪のガラス化が達成されるので、被施術者に意図したパーマネントウェーブ（カール）を確実に提供することが可能となる。
【実施例】
【００３２】
以下、本発明に係るパーマネントウェーブ処理方法を実施した一例を、図面を参照しつつ説明する。本実施例は、図２に概略で示すようなパーマネントウェーブ処理装置を用いて実施した形態である。
【００３３】
まず、図２に示すように、パーマネントウェーブ処理装置Ａは、その本体に、被施術者の毛髪に対して作用させる各種の手段（吸引手段１及び送風手段２等）を収容したハウジング（図示省略）を備えて構成される。このハウジングの上部に、被施術者の頭部に被せるフード４が取り付けられている。
【００３４】
ハウジングは、仕切り板３によって吸引室と送風室との２つに分割されて構成され、それぞれの部屋に吸引手段１、送風手段２が形成されている。仕切り板３の両面に、モーター１１、２１が背中合わせに固定されている。吸引室に固定されているモーター１１に、シロッコ型の吸引ファン１２が取り付けられている。送風室に固定されているモーター２１に、シロッコ型の送風ファン２２が取付けられている。
【００３５】
吸引室の排気側に排気ダクト１３が接続され、この排気ダクト１３の排気口にフィルタを兼ねる消音フィルタ１４が取付けられている。吸引室の側面に、バキュームダクト１５が接続されている。バキュームダクト１５は、一端がフード４内に設置されたリング状の吸引管４３に接続されている。バキュームダクト１５の途中に粉塵フィルタ１６が取付けられている。
【００３６】
一方、送風ファン２２が空気を取り込む送風室の壁面（側面）に、吸気フィルタ２３が取付けられている。送風室の排気側に、温風ダクト２４の一端が接続されている。温風ダクト２４の他端は、フード４内に温風を送風するために、フード４の背面側で開口している。また、温風ダクト２４の途中に、送風ファン２２から送風される空気を加熱するヒーター２５が取付けられている。
【００３７】
フード４は、固定フード４１と開閉フード４２とから構成され、開閉フード４２が被施術者の被った状態において前頭部側で開閉可能とされる。開閉フード４２が開放状態において、施術者の後頭部側から各種の施術、例えば、薬液の塗布等が可能である。
【００３８】
固定フード４１の内周面に、バキュームダクト１５の一端が接続される吸引管４３が取付けられている。吸引管４３の複数個所に、吸引チューブ６が着脱自在に取付けられている。吸引チューブ６は、途中で複数本に分岐し、それぞれの先端が被施術者の毛髪に巻き付けるロッドＲに着脱自在に接続される。なお、ロッドＲには毛髪を巻き付けた状態で、毛髪を介してフード４内の温風を吸い込めるように多数の孔が形成されている。
【００３９】
なお、パーマネントウェーブ処理装置Ａは、ハウジングの背面に操作パネルを備えている（図示省略）。この操作パネルは、電源ボタンや送風温度調整ボタン、時間設定ボタン等の操作ボタン及び、温度や時間を表示するための表示面を有し、内部に温度監視や、送風や吸引を作動、停止するための制御回路を備えている。
【００４０】
本発明に係るパーマネントウェーブ処理方法では、まず、濡らし工程Ｓ１で濡らした被施術者の毛髪をロッドＲに根元から巻付け、毛髪を構成するケラチン分子に歪みと、これに対応した応力を発生させる。この状態において第一蒸らし工程Ｓ２を行い、タオル等を被施術者の頭部で覆って一定時間蒸らす。さらに、タオル等を外して被施術者の頭部をパーマネントウェーブ処理装置Ａのフード４内へ収容し、毛髪に巻き付けたロッドＲと吸引チューブ６とを接続する。
【００４１】
次に、パーマネントウェーブ処理装置Ａのモーター１１，２１を作動させて第一風乾工程Ｓ３を進める。具体的には、第一温風風乾工程Ｓ３１により、モーター２１を作動させてフード４内に温風を送って外部から毛髪を乾かす。同時に、モーター１１を作動させる第一水分吸引工程Ｓ３２により、吸引チューブ６を利用してロッドＲ内部を負圧とし、毛髪に付着した水分を吸引する。これにより風乾して毛髪をガラス化状態にする。
【００４２】
第一温風風乾工程Ｓ３１では、フード４内が３０〜５５℃（好ましくは４５〜５５℃）の加温された雰囲気となるように温風を送り、３〜４０分（好ましくは２０〜４０分）かけて毛髪を乾かす。このとき、第一水分吸引工程Ｓ３２において、同時に吸引チューブ６を利用してロッドＲ内部を負圧とし、毛髪に付着した水分を吸引する。次いで、温風を送るのを停止した後も、吸引を続けて毛髪を室温まで冷却することが好ましい。
【００４３】
風乾した毛髪がガラス化状態になったら、第１剤塗布工程Ｓ４により、パーマネント第１剤を塗布し、室温環境下において３〜３０分放置する。パーマネント第１剤を塗布すると、パーマネント第１剤に含まれる還元剤の作用により、主に歪みの原因となるキューティクルに含まれるジスルフィド結合が切断され、毛髪にかかる歪みが解消される。
【００４４】
また、ジスルフィド結合が切断されることにより、毛髪内部の運動性が高まり、さらにロッドに沿った安定な形状へとケラチン分子が再配列される。
【００４５】
パーマネント第１剤を塗布して所定時間放置し、テストカールを行って毛髪の歪みが十分に取り除かれ、ロッドの形状に安定化された状態となっているかを確認した後、中間水洗工程Ｓ５により、毛髪をロッドＲに巻き付けたままパーマネント第１剤を洗い流す。続いて、第二蒸らし工程Ｓ６によって毛髪表面をタオルで覆い、軽く水分を拭き取りつつ再び一定時間蒸らす。中間水洗では、パーマネント第１剤が除去されるとともに、浸透圧効果によって毛髪内へ水分拡散するので、ケラチン分子の再配列がさらに進む。その結果に、中間水洗工程Ｓ５においてロッドＲの形状に最も適合したケラチン分子の配列が得られることとなる。
【００４６】
次に、再びパーマネントウェーブ処理装置Ａのモーター１１，２１を作動させて第二風乾工程Ｓ７を進める。具体的には、第二温風風乾工程Ｓ７１により、モーター２１を作動させてフード４内に温風を送って外部から毛髪を乾かす。同時に、モーター１１を作動させる第二水分吸引工程Ｓ７２により、吸引チューブ６を利用してロッドＲ内部を負圧とし、毛髪に付着し水分を吸引する。これにより、毛髪を再びガラス状態にする。
【００４７】
第二温風風乾工程Ｓ７１では、フード４内が３０〜５５℃（好ましくは４５〜５５℃）の加温された雰囲気となるように温風を送り、３〜４０分（好ましくは２０〜４０分）かけて毛髪を乾かす。このとき、第二水分吸引工程Ｓ７２において、同時に吸引チューブ６を利用してロッドＲ内部を負圧とし、毛髪に付着した水分を吸引する。次いで、温風を送るのを停止した後も、吸引を続けて毛髪を室温まで冷却することが好ましい。
【００４８】
そして、第２剤塗布工程Ｓ８により、パーマネント第２剤をロッドに巻き付けられている毛髪に塗布し、室温環境下において３〜３０分放置する。パーマネント第２剤を塗布すると、パーマネント第２剤の酸化作用によりケラチン分子内のジスルフィド結合の再結合が促され、パーマネントウェーブの形状が固定される。その後、所定時間を経過させてから、ロッドを外して水洗し、ドライヤー等で乾燥させることでパーマネントウェーブ処理が終了する。
【００４９】
本発明は、所謂ダブルガラス化効果を利用し、ＷＥＴ／ＤＲＹ差を極めて少なくするパーマネントウェーブ処理方法を実現している。具体的には、図３に示すように、パーマネントウェーブ処理の工程において毛髪に含まれる水分量の変化を、ガラス転移点を超えるように制御し、毛髪の物理的な性質を変化させてガラス化効果を得ているのである。ガラス化とは、毛髪に含まれるケラチン分子が変形したり移動したりするゴムのような柔軟性を、ガラス転移点を超えさせることで失わせ、ガラスのような硬い状態に変えることをいう。本発明では、このガラス化を、全工程を経ることで２度、付与するのでダブルガラス化効果と称している。
【００５０】
図３のグラフで、毛髪に含まれる水分量と、ガラス転移点の関係を示した。毛髪の場合、含まれている水分の割合でガラス転移が起こる。特に、ガラス転移点は、図３のように乾燥状態で１００℃程度に位置するが、水分を多く含むことで常温以下に下がる。通常人間が生活する環境下では、毛髪はガラス化状態にあり、１００℃程度にならないとゴムのような柔軟性が発現されないことになる。
【００５１】
そして、本発明に係るパーマネントウェーブ処理方法では、毛髪はガラス化状態でウェーブを形成している。その結果、日常の生活環境下で毛髪に歪みが生じず、形成されたウェーブは保持されたまま緩くならず保持期間が長くなる。しかも、本発明では、このガラス化を、全工程を経ることで２度得て、所謂ダブルガラス化効果を達成している。
【００５２】
その一方で、従来のパーマネントの処理方法で施術した場合、毛髪に水分が十分吸収され濡れ、毛髪に含まれるケラチン分子が変形したり移動したりするゴムのような柔軟性を有する状態のときにウェーブを形成している。通常人間が生活する環境下で毛髪はガラス化状態であるが、形成されたウェーブはゴム状態からガラス状態に変化するときに毛髪内部の水分量の変化により構造が崩れてしまう。その結果、ウェーブが弱くなり、持続期間も短くなってしまう。
【００５３】
したがって、本発明では、ダブルガラス化効果を得て、ウェーブ形状のＷＥＴ／ＤＲＹ差を小さくすることができ、毛髪が乾燥してもウェーブが緩くならず、ウェーブの持続期間も長いパーマネントウェーブ処理方法を提供することができる。そして、乾燥した毛髪は薬剤の浸透が遅く、これを抑えられるので、毛髪間充物質の流出等による毛髪ダメージも軽減することができる。
【００５４】
以上、本発明について一実施形態を説明したが、本発明はこれらの実施形態に限定されることなく、特許請求の範囲に記載された事項を逸脱することがなければ、種々の設計変更を行うことが可能である。例えば、上記実施形態では、パーマネントウェーブ処理装置を利用したパーマネントウェーブ処理方法を説明しているが、装置の利用は必須ではない。その他、パーマネント第１剤や、パーマネント第２剤は各種の公知のものを使うことでも、本発明を達成することが可能である。
【符号の説明】
【００５５】
Ａ・・・パーマネントウェーブ処理装置
１・・・吸引手段
１１・・モーター
１２・・吸引ファン
１３・・排気ダクト
１４・・消音フィルタ
１５・・バキュームダクト
１６・・粉塵フィルタ
２・・・送風手段
２１・・モーター
２２・・送風ファン
２３・・吸気フィルタ
２４・・温風ダクト
２５・・ヒーター
３・・・仕切り板
３１・・オゾン吹出口
４・・・フード
４１・・固定フード
４２・・開閉フード
４３・・吸引管
６・・・吸引チューブ
Ｒ・・・ロッド
Ｓ１・・濡らし工程
Ｓ２・・第一蒸らし工程
Ｓ３・・第一風乾工程
Ｓ３１・第一温風風乾工程
Ｓ３２・第一水分吸引工程
Ｓ４・・第１剤塗布工程
Ｓ５・・中間水洗工程
Ｓ６・・第二蒸らし工程
Ｓ７・・第二風乾工程
Ｓ７１・第二温風風乾工程
Ｓ７２・第二水分吸引工程
Ｓ８・・第２剤塗布工程
【図１】
2016034304.tif 000003
【図２】
2016034304.tif 000004
【図３】
2016034304.tif 000005